(57)【要約】【課題】ビューファインダ内への水平度等の表示を良好に行い得るようにする。【解決手段】傾きセンサーにより、カメラ本体の所定方向、例えば左右方向、前後方向などにおける傾きを検出する。傾きセンサーで検出される傾きに応じた位置に指標を表示するための指標表示信号を発生する。撮像画像信号に指標表示信号を合成してビューファインダ用の画像信号を得る。指標の移動方向における所定の傾きに対応した位置を中心とする所定幅のマスク領域で指標の表示がマスクされるように指標表示信号を発生する。定常あるいは通常の状態でビューファインダ内における指標の表示領域を抑制でき、画像表示の邪魔となることを軽減できる。【選択図】図２
2015100047.tif 000002
【特許請求の範囲】
【請求項１】
カメラ本体の所定方向の傾きに応じた位置に指標を表示するための指標表示信号を発生する表示信号発生部と、
撮像画像信号に上記指標表示信号を合成してビューファインダ用の画像信号を得る合成部とを備え、
上記表示信号発生部は、
上記指標の移動方向における所定の傾きに対応した位置を中心とする所定幅のマスク領域で上記指標の表示がマスクされるように上記指標表示信号を発生する
カメラ装置。
【請求項２】
上記所定幅を設定するユーザ操作部をさらに備える
請求項１に記載のカメラ装置。
【請求項３】
上記所定幅は、上記指標の幅より大きくされる
請求項１に記載のカメラ装置。
【請求項４】
上記所定方向は、左右方向または前後方向である
請求項１に記載のカメラ装置。
【請求項５】
上記所定の傾きは、水平である
請求項１に記載のカメラ装置。
【請求項６】
上記表示信号発生部は、
上記指標の移動方向における上記所定の傾きに対応した位置を中心として一方および他方の側で上記指標の表示態様が異なるように上記指標表示信号を発生する
請求項１に記載のカメラ装置。
【請求項７】
上記指標の表示態様は、色または模様である
請求項６に記載のカメラ装置。
【請求項８】
上記カメラ本体の所定方向における傾きを検出する傾きセンサーをさらに備える
請求項１に記載のカメラ装置。
【請求項９】
カメラ本体の所定方向の傾きに応じた位置に指標を表示するための指標表示信号を発生する表示信号発生ステップと、
撮像画像信号に上記指標表示信号を合成してビューファインダ用の画像信号を得る合成ステップとを有し、
上記表示信号発生ステップでは、
上記指標の移動方向における所定の傾きに対応した位置を中心とする所定幅のマスク領域で上記指標の表示がマスクされるように上記指標表示信号を発生する
ビューファインダ用画像信号の生成方法。
【請求項１０】
カメラの所定の状態の段階に応じた位置に指標を表示する指標表示信号を発生する表示信号発生部と、
撮像画像信号に上記指標表示信号を合成してビューファインダ用の画像信号を得る合成部とを備え、
上記表示信号発生部は、
上記指標の移動方向における上記カメラの所定の状態の特定段階に対応した位置を中心とする所定幅のマスク領域で上記指標の表示がマスクされるように上記指標表示信号を発生する
カメラ装置。
【請求項１１】
カメラ本体の所定方向の傾きに応じた位置に指標を表示するための指標表示信号を発生する表示信号発生部と、
撮像画像信号に上記指標表示信号を合成してビューファインダ用の画像信号を得る合成部とを備え、
上記表示信号発生部は、
上記指標の移動方向における上記所定の傾きに対応した位置を中心として一方および他方の側で上記指標の表示態様が異なるように上記指標表示信号を発生する
カメラ装置。
【発明の詳細な説明】
【技術分野】
【０００１】
本技術は、カメラ装置およびビューファインダ用画像信号の生成方法に関し、特に、傾きセンサーを備えるカメラ装置などに関する。
【背景技術】
【０００２】
三脚を使わない撮像において、画像の水平度（カメラ本体の傾き）を水平に保つことは、カメラマンにとって重要な項目である。従来、カメラ本体の内部に傾きセンサーを搭載し、ビューファインダの画面内に水平度を表示できる機能を備えるカメラ装置が提案されている（例えば、特許文献１参照）。
【先行技術文献】
【特許文献】
【０００３】
【特許文献１】特開２００９−１３３９４５号公報
【発明の概要】
【発明が解決しようとする課題】
【０００４】
ビューファインダ内の画像は、カメラマンにとって、撮像している画像を把握し、画角を決め、フォーカスを合わせるなどの、重要な情報であるため、できるだけ、余計なものを表示したくないという、ジレンマがあった。
【０００５】
本技術の目的は、ビューファインダ内への水平度等の表示を良好に行い得るようにすることにある。
【課題を解決するための手段】
【０００６】
本技術の概念は、
カメラ本体の所定方向の傾きに応じた位置に指標を表示するための指標表示信号を発生する表示信号発生部と、
撮像画像信号に上記指標表示信号を合成してビューファインダ用の画像信号を得る合成部とを備え、
上記表示信号発生部は、
上記指標の移動方向における所定の傾きに対応した位置を中心とする所定幅のマスク領域で上記指標の表示がマスクされるように上記指標表示信号を発生する
カメラ装置にある。
【０００７】
本技術において、表示信号発生部により、カメラ本体の所定方向の傾きに応じた位置に指標を表示するための指標表示信号が発生される。例えば、所定方向は、左右方向または前後方向である、ようにされてもよい。例えば、所定方向における傾きを検出する傾きセンサーを備えるようにされてもよい。合成部により、撮像画像信号に指標表示信号が合成されてビューファインダ用の画像信号が得られる。表示信号発生部では、指標の移動方向における所定の傾きに対応した位置を中心とする所定幅のマスク領域で指標の表示がマスクされるように指標表示信号が発生される。例えば、所定の傾きは、水平（傾き０）である、ようにされてもよい。
【０００８】
このように本技術においては、所定の傾きに対応した位置を中心とするマスク領域で指標の表示がマスクされるように指標表示信号が発生されるものである。そのため、定常あるいは通常の状態でカメラ本体の所定方向の傾きが所定の傾きにされる場合には、この定常あるいは通常の状態でビューファインダ内における指標の表示領域を抑制でき、画像表示の邪魔となることを軽減可能となる。
【０００９】
なお、本技術において、例えば、所定幅（マスク領域の幅）を設定するユーザ操作部をさらに備える、ようにされてもよい。これにより、カメラマン（ユーザ）は、マスク領域の幅を自身にとって使い勝手のよい幅に設定することが可能となる。
【００１０】
また、本技術において、所定幅（マスク領域の幅）は、指標の幅より大きくされる、ようにされてもよい。この場合、例えば、定常あるいは通常の状態でビューファインダ内における指標の表示領域を完全になくすことが可能となる。
【００１１】
また、本技術において、表示信号発生部は、指標の移動方向における所定の傾きに対応した位置を中心として一方および他方の側で指標の表示態様、例えば色または模様が異なるように指標表示信号を発生する、ようにされてもよい。この場合、カメラマン（ユーザ）は、指標の表示態様により、所定の傾きに対して一方および他方のどちら側に傾いているかを、容易に判別可能となる。
【００１２】
また、本技術の他の概念は、
カメラの所定の状態の段階に応じた位置に指標を表示する指標表示信号を発生する表示信号発生部と、
撮像画像信号に上記指標表示信号を合成してビューファインダ用の画像信号を得る合成部とを備え、
上記表示信号発生部は、
上記指標の移動方向における上記カメラの所定の状態の特定段階に対応した位置を中心とする所定幅のマスク領域で上記指標の表示がマスクされるように上記指標表示信号を発生する
カメラ装置にある。
【００１３】
また、本技術の他の概念は、
カメラ本体の所定方向の傾きに応じた位置に指標を表示するための指標表示信号を発生する表示信号発生部と、
撮像画像信号に上記指標表示信号を合成してビューファインダ用の画像信号を得る合成部とを備え、
上記表示信号発生部は、
上記指標の移動方向における上記所定の傾きに対応した位置を中心として一方および他方の側で上記指標の表示態様が異なるように上記指標表示信号を発生する
カメラ装置にある。
【発明の効果】
【００１４】
本技術によれば、ビューファインダ内への水平度等の表示を良好に行い得る。なお、本明細書に記載された効果はあくまで例示であって限定されるものではなく、また付加的な効果があってもよい。
【図面の簡単な説明】
【００１５】
【図１】実施の形態としてのカメラシステムの構成例を示すブロック図である。
【図２】ビューファインダにおける指標の表示例を示す図である。
【図３】カメラマンがカメラシステムを用いて撮像を行っている状態を概略的に示す図である。
【図４】指標の表示をマスクするマスク領域を説明するための図である。
【図５】ビューファインダにおける指標のより具体的な表示例を示す図である。
【図６】ビューファインダにおける指標の他の表示例を示す図である。
【図７】指標の表示をマスクするマスク領域を説明するための図である。
【図８】ビューファインダにおける指標のより具体的な表示例を示す図である。
【図９】ビューファインダにおける指標の他の表示例を示す図である。
【発明を実施するための形態】
【００１６】
以下、発明を実施するための形態（以下、「実施の形態」とする）について説明する。なお、説明を以下の順序で行う。
１．実施の形態
２．変形例
【００１７】
＜１．実施の形態＞
［カメラシステムの構成例］
図１は、実施の形態としてのカメラシステム１０の構成例を示している。このカメラシステム１０は、カメラ装置（カメラ本体）１００と、レンズ装置２００と、ビューファインダ３００とからなっている。レンズ装置２００は、カメラ装置１００の前部のレンズマウント部に取り付けられている。
【００１８】
カメラ装置１００は、カメラＣＰＵ１０１と、傾きセンサー１０２と、ユーザ操作部１０３と、イメージセンサー部１０４と、カメラ信号処理部１０５と、ＶＦ信号処理部１０６を有している。カメラＣＰＵ１０１は、カメラ装置１００の各部の動作を制御する。傾きセンサー１０２は、カメラＣＰＵ１０１に接続されており、カメラ本体の所定方向、ここでは左右方向の傾きを検出する。ユーザ操作部１０３は、カメラＣＰＵ１０１に接続されており、ユーザが種々の操作を行うためのユーザインタフェースを構成する。この実施の形態では、ユーザ操作部１０３により、後述するマスク領域の幅の設定操作も可能とされている。
【００１９】
イメージセンサー部１０４は、ＣＭＯＳイメージセンサーなどの撮像素子を持ち、被写体に対応した撮像画像信号を出力する。上述のレンズ装置２００により、撮像素子の撮像面に、被写体が結像される。カメラ信号処理部１０５は、イメージセンサー部１０４から出力される撮像画像信号を処理し、カメラ装置１００の出力としての画像信号を出力する。カメラ信号処理部１０５は、例えば、利得制御、ホワイトバランス調整、ガンマ補正等の処理を行う。
【００２０】
ＶＦ信号処理部１０６は、カメラ信号処理部１０５から出力される画像信号に基づいて、ビューファインダ用の画像信号を生成し、ビューファインダ３００に送る。ＶＦ信号処理部１０６は、カメラＣＰＵ１０１から送られてくる表示制御信号に基づいて、例えば、指標表示信号などの表示信号を発生する。そして、ＶＦ信号処理部１０６は、この表示信号を、カメラ信号処理部１０５から出力される画像信号（撮像画像信号）に合成して、ビューファインダ用の画像信号を生成する。
【００２１】
ここで、指標表示信号は、現在のカメラ本体の左右方向の傾きに応じた位置に指標５００を表示するための表示信号である。カメラＣＰＵ１０１は、傾きセンサー１０２で検出されるカメラ本体の左右方向の傾きに基づいて、ＶＦ信号処理部１０６に、指標表示信号を発生させるための表示制御信号を生成して送る。
【００２２】
図２（ａ）は、ビューファインダ３００における指標５００の表示例を示している。指標５００は、例えば、長方形の形状とされる。なお、ビューファインダ３００には、撮像画像も同時に表示されるが、図面の簡単化のために、ここでは省略している。指標５００の移動通路に対応してガイドライン５０１が表示されている。また、所定の傾き、ここでは水平（傾き０）に対応した位置を示す逆三角形状のセンターマーク５０２が表示されている。なお、これらガイドライン５０１およびセンターマーク５０２は、必ずしも必要な表示ではなく、表示されなくてもよい。
【００２３】
図３は、カメラマン４００がカメラシステム１０を用いて撮像を行っている状態を概略的に示している。カメラ装置（カメラ本体）１００の左右方向の傾きの変化に応じて、指標５００の表示位置は、左右方向に移動する。すなわち、カメラ装置１００が右下がりとなる方向に傾いている場合には、指標５００の位置は水平に対応した位置（センターマーク５０２が示す位置）からその傾きの大きさに応じた距離だけ右側に移動する。一方、カメラ装置１００が左下がりとなる方向に傾いている場合には、指標５００の位置はセンターマーク５０２が示す位置からその傾きの大きさに応じた距離だけ左側に移動する。
【００２４】
この実施の形態において、図２（ｂ）に拡大して示すように、指標５００の移動方向における水平に対応した位置（センターマーク５０２が示す位置）を中心とする所定幅Ｗのマスク領域５０３が設定される。ＶＦ信号処理部１０６では、このマスク領域５０３で指標５００の表示がマスクされるよう指標表示信号が発生される。つまり、このマスク領域５０３に入る指標５００の部分は欠けた状態となる。
【００２５】
図２（ａ），（ｂ）は、カメラ装置（カメラ本体）１００の左右方向の傾きが水平（傾き０）であって、指標５００の中心が水平に対応した位置（センターマーク５０２が示す位置）にあり、かつ指標５００の幅がマスク領域５０３の幅Ｗより大きい場合の表示例を示している。この場合、マスク領域５０３の左右からはみ出した状態で指標５００の左右の端部が同一幅で表示される。
【００２６】
カメラマン（ユーザ）は、ユーザ操作部１０３を操作することで、マスク領域５０３の幅である所定幅Ｗの設定を行うことができる。例えば、図４（ｂ），（ｃ），（ｄ）は、所定幅Ｗの設定の一例を示している。図４（ｂ），（ｃ）は、マスク領域５０３の幅Ｗが指標５００の幅より小さく設定された例を示している。図４（ｄ）は、マスク領域５０３の幅Ｗが指標５００の幅以上、ここではマスク領域５０３の幅Ｗが指標５００の幅と同一に設定された例を示している。この場合、カメラ装置（カメラ本体）１００の左右方向の傾きが水平（傾き０）であるときには、指標５００の表示はマスク領域５０３により完全にマスクされた状態となる。
【００２７】
図４（ｅ）は、マスク領域５０３の幅Ｗが指標５００の幅と同一に設定された例において、カメラ装置（カメラ本体）１００の左右方向の傾きが水平（傾き０）から少し左下がりになった場合の指標５００の表示例を示し、指標５００が左側に若干移動し、その一部がマスク領域５０３からはみ出して表示される状態となる。一方、図４（ｆ）は、マスク領域５０３の幅Ｗが指標５００の幅と同一に設定された例において、カメラ装置（カメラ本体）１００の左右方向の傾きが水平（傾き０）から少し右下がりになった場合の指標の表示例を示し、指標５００が右側に若干移動し、その一部がマスク領域５０３からはみ出して表示される状態となる。
【００２８】
なお、図４（ａ）は、所定幅Ｗが０に設定された例を示している。この場合、マスク領域５０３は実質的に存在しない状態となる。なお、図示の例においては、逆三角形状のセンターマーク５０２が示す位置に、棒状のセンターマーク５０４がさらに表示されている。
【００２９】
図５は、図２（ａ）に対応した、ビューファインダ３００のより具体的な表示例を示している。この表示例において、マスク領域５０３に入る指標５００の部分は欠けた状態となり、この部分には撮像画像の対応する部分がそのまま表示されている。
【００３０】
上述したように、図１に示すカメラシステム１０においては、カメラ本体の左右方向の所定の傾き、例えば水平（傾き０）に対応した位置を中心とするマスク領域５０３で指標５００の表示がマスクされるように指標表示信号が発生されるものである。そのため、定常あるいは通常の状態でカメラ本体の左右方向の傾きが所定の傾き、例えば水平（傾き０）にされる場合には、この定常あるいは通常の状態でビューファインダ３００内における指標５００の表示領域を抑制でき、画像表示の邪魔となることを軽減できる。
【００３１】
また、図１に示すカメラシステム１０においては、カメラマン（ユーザ）がユーザ操作部１０３を操作してマスク領域５０３の幅を所定幅Ｗに設定可能とされるものである。そのため、例えば、カメラマン（ユーザ）は、マスク領域５０３の幅を自身にとって使い勝手のよい幅に設定することが可能となる。例えば、マスク領域５０３の幅が指標５００の幅より大きくなるように設定される場合には、定常あるいは通常の状態でビューファインダ３００内における指標５００の表示領域を完全になくすことが可能となる。
【００３２】
＜２．変形例＞
なお、上述実施の形態においては、指標５００の表示態様、例えば色または模様について言及されていない。例えば、所定の傾き、例えば水平（傾き０）に対応した位置（センターマーク５０２が示す位置）を中心として、一方および他方の側で指標５００の色または模様が異なるようにすることも考えられる。
【００３３】
この場合、カメラ装置１００のＶＦ信号処理部１０６は、当該一方および他方の側で指標５００の色または模様が異なるように指標表示信号を発生する。例えば、センターマーク５０２より右側に表示される指標５００（指標の一部も含む）の色は「赤」とされ、一方センターマーク５０２より右側に表示される指標５００（指標の一部も含む）の色は「青」とされる。
【００３４】
図６（ａ），（ｂ）、図７（ａ）〜（ｆ）、図８は、それぞれ、その場合における指標５００の表示例を示している。これらの各図は、上述の図２（ａ），（ｂ）、図４（ａ）〜（ｆ）、図５に対応しており、対応する部分に同一符号を付し、その詳細説明は省略する。図６（ａ），（ｂ）、図７（ａ）〜（ｆ）、図８においては、一方および他方の側に表示されている指標５００（指標の一部も含む）の「ハッチング」の向きを変えることで、表示態様が異なることを表している。
【００３５】
このように所定の傾き、例えば水平（傾き０）に対応した位置を中心として一方および他方の側で指標５００の表示態様、例えば色または模様が異なるようにすることで、カメラマン（ユーザ）は、指標の色または模様により、所定の傾きに対して一方および他方のどちら側に傾いているかを、容易に判別可能となる。
【００３６】
また、上述実施の形態においては、ビューファインダ３００内の現在のカメラ本体の左右方向の傾きに応じた位置に指標５００を表示する例を示した。しかし、本技術は、左右方向だけでなく、その他の方向、例えば前後方向の傾きに応じた位置に指標５００を表示する場合にも同様に適用できることは勿論である。図９は、その場合における指標５００の表示例を示している。この図９において、図２（ａ）と対応する部分には同一符号を付し、その詳細説明は省略する。
【００３７】
また、上述実施の形態においては、カメラ装置１００がカメラ本体の所定方向、例えば、水平方向や前後方向の傾きを検出する傾きセンサー１０２を備える例を示した。しかし、カメラ本体の傾きを例えば三脚の雲台に設置されている傾きセンサーによって検出することも考えられる。
【００３８】
また、本技術は、ビューファインダ３００の現在のカメラ本体の所定方向の傾きに応じた位置に指標５００を表示する場合だけでなく、一般的に、例えば、カメラマン（ユーザ）の操作に係るカメラ（カメラシステム）の所定の状態の段階を検出し、ビューファインダ内のその検出段階に応じた位置に指標を表示することで、カメラマン（ユーザ）にその所定の状態がいかなる段階にあるかを視覚的に知らせる場合にも、同様に適用できる。
【００３９】
この場合、指標の移動方向におけるカメラの所定の状態の特定段階に対応した位置を中心とする所定幅のマスク領域で指標の表示がマスクされるように構成される。あるいは、この場合、指標の移動方向におけるカメラの所定の状態の特定段階に対応した位置を中心として一方および他方の側で指標の表示態様が異なるようにされる。この場合にあっても、上述実施の形態と同様の効果を得ることが可能となる。
【００４０】
また、本技術は、以下のような構成を取ることもできる。
（１）カメラ本体の所定方向の傾きに応じた位置に指標を表示するための指標表示信号を発生する表示信号発生部と、
撮像画像信号に上記指標表示信号を合成してビューファインダ用の画像信号を得る合成部とを備え、
上記表示信号発生部は、
上記指標の移動方向における所定の傾きに対応した位置を中心とする所定幅のマスク領域で上記指標の表示がマスクされるように上記指標表示信号を発生する
カメラ装置。
（２）上記所定幅を設定するユーザ操作部をさらに備える
前記（１）に記載のカメラ装置。
（３）上記所定幅は、上記指標の幅より大きくされる
前記（１）に記載のカメラ装置。
（４）上記所定方向は、左右方向または前後方向である
前記（１）から（３）のいずれかに記載のカメラ装置。
（５）上記所定の傾きは、水平である
前記（１）から（４）のいずれかに記載のカメラ装置。
（６）上記表示信号発生部は、
上記指標の移動方向における上記所定の傾きに対応した位置を中心として一方および他方の側で上記指標の表示態様が異なるように上記指標表示信号を発生する
前記（１）から（５）のいずれかに記載のカメラ装置。
（７）上記指標の表示態様は、色または模様である
前記（６）に記載のカメラ装置。
（８）上記カメラ本体の所定方向における傾きを検出する傾きセンサーをさらに備える
前記（１）から（７）のいずれかに記載のカメラ装置。
（９）カメラ本体の所定方向における傾きを検出する傾きセンサーで検出される傾きに応じた位置に指標を表示するための指標表示信号を発生する表示信号発生ステップと、
撮像画像信号に上記指標表示信号を合成してビューファインダ用の画像信号を得る合成ステップとを有し、
上記表示信号発生ステップでは、
上記指標の移動方向における所定の傾きに対応した位置を中心とする所定幅のマスク領域で上記指標の表示がマスクされるように上記指標表示信号を発生する
ビューファインダ用画像信号の生成方法。
（１０）カメラの所定の状態の段階に応じた位置に指標を表示する指標表示信号を発生する表示信号発生部と、
撮像画像信号に上記指標表示信号を合成してビューファインダ用の画像信号を得る合成部とを備え、
上記表示信号発生部は、
上記指標の移動方向における上記カメラの所定の状態の特定段階に対応した位置を中心とする所定幅のマスク領域で上記指標の表示がマスクされるように上記指標表示信号を発生する
カメラ装置。
（１１）カメラ本体の所定方向の傾きに応じた位置に指標を表示するための指標表示信号を発生する表示信号発生部と、
撮像画像信号に上記指標表示信号を合成してビューファインダ用の画像信号を得る合成部とを備え、
上記表示信号発生部は、
上記指標の移動方向における上記所定の傾きに対応した位置を中心として一方および他方の側で上記指標の表示態様が異なるように上記指標表示信号を発生する
カメラ装置。
【符号の説明】
【００４１】
１０・・・カメラシステム
１００・・・カメラ装置
１０１・・・カメラＣＰＵ
１０２・・・傾きセンサー
１０３・・・ユーザ操作部
１０４・・・イメージセンサー部
１０５・・・カメラ信号処理部
１０６・・・ＶＦ信号処理部
２００・・・レンズ装置
３００・・・ビューファインダ
４００・・・カメラマン
５００・・・指標
５０１・・・ガイドライン
５０２，５０４・・・センターマーク
５０３・・・マスク領域
【図１】
2015100047.tif 000003
【図２】
2015100047.tif 000004
【図４】
2015100047.tif 000005
【図６】
2015100047.tif 000006
【図７】
2015100047.tif 000007
【図９】
2015100047.tif 000008
【図３】
2015100047.tif 000009
【図５】
2015100047.tif 000010
【図８】
2015100047.tif 000011